(57)【要約】【解決手段】第２（例えばｃｄｍａ２０００）無線ネットワーク（１２２）に同調している間、第１（例えば、ＨＤＲ）無線ネットワーク（１２０）を介して確立されたＩＰセッションを維持するための技術。登録、構成、および第１および第２無線ネットワークとのセッションの確立の期間、アクセス端末（１１０）はこれらのセッションの期間に使用するために、それぞれ第１および第２ＩＰアドレスを割当てることができる。アクセス端末（１１０）が前記第１無線ネットワーク（１２０）を離れるなら、アクセス端末は、ＩＰセッションを維持することを要求することができ、送信先アドレスを供給する。その後、第１無線ネットワーク（１２０）がアクセス端末（１１０）のためのデータを有するなら、第１無線ネットワークは送信先アドレスを用いて「なりすまし」パケットを送信する。なりすましパケットは、アクセス端末（１１０）に対して利用可能なデータがあることを示すことができる。なりすましパケットに応答して、第２無線ネットワーク（１２２）から通信（例えばページ）を受信すると、アクセス端末（１１０）は、第１無線ネットワーク（１２０）との接続を確立し、データを受信する。
2005509325.tif 000002
【特許請求の範囲】
【請求項１】
下記を具備する、第１無線ネットワークにおいて、アクセス端末のためのインターネットプロトコル（ＩＰ）セッションを維持するための方法：
前記第１無線ネットワークを介して、ネットワーク要素を用いて、アクセス端末のためのＩＰセッションを確立する；
前記アクセス端末が前記第１無線ネットワークに同調していないなら、前記ＩＰセッションを維持するための要求を受信する；
アクセス端末のための送信先アドレスを受信する；
前記アクセス端末が前記第１無線ネットワークに同調していない表示を受信する；
前記アクセス端末のための第１パケットを受信する；
前記第１パケットの受信に応答して第２パケットを送信する、前記第２パケットは、前記送信先アドレスを用いて前記アクセス端末にアドレス指定される；
前記アクセス端末との接続を確立する；および
前記アクセス端末に前記第１パケットを送信する。
【請求項２】
前記アクセス端末は、前記第１無線ネットワークを介して確立されたＩＰセッションのための第１アドレスが割当てられる、請求項１の方法。
【請求項３】
前記第１パケットは、前記ネットワーク要素から受信され、前記第１アドレスを用いて前記アクセス端末にアドレス指定される、請求項２の方法。
【請求項４】
前記第２パケットは、前記ネットワーク要素に送信される、請求項１の方法。
【請求項５】
前記アクセス端末が前記第１無線ネットワークに同調しない表示は、前記アクセス端末により送信されるメッセージを介して受信される、請求項１の方法。
【請求項６】
前記アクセス端末が前記第１無線ネットワークに同調しない表示は、前記第１無線ネットワークにより前記アクセス端末に割当てられたトラヒックチャネルを前記アクセス端末が中断した表示を受信することにより認識される、請求項１の方法。
【請求項７】
前記ＩＰセッションを維持するための特定の期間の表示を受信する；および
前記特定の期間、前記ＩＰセッションを維持する、
ことをさらに具備する、請求項１の方法。
【請求項８】
前記ＩＰセッションを生かしておくための要求を周期的に受信することをさらに具備する、請求項１の方法。
【請求項９】
前記第２パケットは、前記第１無線ネットワークが前記アクセス端末のためのデータを有していることを示す、請求項１の方法。
【請求項１０】
前記第１のアドレスは全体的にルータブルなＩＰアドレスである、請求項２の方法。
【請求項１１】
前記送信先アドレスは、局所的にルータブルなＩＰアドレスである、請求項１の方法。
【請求項１２】
前記ネットワーク要素は、パケットデータサービングノード（ＰＤＳＮ）である、請求項１の方法。
【請求項１３】
第１無線ネットワークにおいて、アクセス端末のためのインターネットプロトコル（ＩＰ）セッションを維持するための方法：
前記第１無線ネットワークを介して、ネットワーク要素を用いて前記アクセス端末のためのＩＰセッションを確立する、前記アクセス端末は前記ＩＰセッションのための第１アドレスが割当てられる；
前記アクセス端末が前記第１無線ネットワークに同調していないなら、前記ＩＰセッションを維持するための要求を受信する；
前記アクセス端末のための送信先アドレスを受信する；
前記アクセス端末が前記第１無線ネットワークに同調していない表示を受信する；
前記ネットワーク要素から第１パケットを受信し、前記第１アドレスを用いて前記アクセス端末をアドレス指定する；
前記第１パケットの受信に応答して前記ネットワーク要素に第２パケットを送信する、前記第２パケットは、前記送信先アドレスを用いて前記アクセス端末にアドレス指定され、前記第１無線ネットワークが前記アクセス端末のためのデータを有することを示す；
前記アクセス端末との接続を確立する；および
前記第１パケットを前記アクセス端末に送信する。
【請求項１４】
下記を具備する、第１無線ネットワークにおいて、アクセス端末のためのインターネットプロトコル（ＩＰ）セッションを維持するための方法：
前記第１無線ネットワークを介してネットワーク要素を用いて前記ＩＰセッションを確立する；
第２無線ネットワークを用いて第２セッションを確立する；
前記第１無線ネットワークに同調していないなら、前記第１無線ネットワークにＩＰセッションを維持するための要求を送信する；
送信先アドレスを前記第１無線ネットワークに送信する；
前記第２無線ネットワークから通信を受信する；
前記受信した通信に応答して、前記第１無線ネットワークとの接続を確立する；および
前記第１無線ネットワークからパケットを受信する。
【請求項１５】
前記第２無線ネットワークから受信した前記通信はページである、請求項１４の方法。
【請求項１６】
前記ＩＰセッションのための第１アドレスの割当てを受信することをさらに具備する、請求項１４の方法。
【請求項１７】
前記ＩＰセッションのための前記第１アドレスの割り当てを要求することをさらに具備し、前記第１アドレスは前記要求に応答して割当てられる、請求項１６の方法。
【請求項１８】
前記第１アドレスは、前記第１無線ネットワークにより、前記アクセス端末に割当てられた識別子と関連する、請求項１６の方法。
【請求項１９】
前記識別子は、ユニキャストアクセス端末識別子（ＵＡＴＩ）である、請求項１８の方法。
【請求項２０】
前記第１無線ネットワークから受信されたパケットは宛先アドレスとして第１アドレスを含む、請求項１６の方法。
【請求項２１】
前記第２無線ネットワークを介して確立された前記第２セッションのための第２アドレスの割り当てを受信することをさらに具備し、前記第２アドレスは、送信先アドレスとして前記第１無線ネットワークに送信される、請求項１４の方法。
【請求項２２】
前記第２アドレスは、前記アクセス端末に割当てられた国際移動局識別子（ＩＭＳＩ）に関連する、請求項２１の方法。
【請求項２３】
前記ＩＰセッションと前記第２セッションのためのプロトコルスタックを維持することをさらに具備する、請求項１４の方法。
【請求項２４】
前記プロトコルは、前記ＩＰのために割当てられたアドレスと、それぞれ前記第１及び第２無線ネットワークを介して確立された第２セッションを含む、請求項２３の方法。
【請求項２５】
前記アクセス端末が現在同調している特定の無線ネットワークのアイデンティティを維持することをさらに具備する、請求項１４の方法。
【請求項２６】
前記ページの受信に応答して、前記第２無線ネットワークにアクノレジメントを送信することをさらに具備する、請求項１５の方法。
【請求項２７】
前記第１無線ネットワークは高データレート（ＨＤＲ）無線ネットワークである、請求項１４の方法。
【請求項２８】
前記第２無線ネットワークは、ＣＤＭＡ無線ネットワークである、請求項１４の方法。
【請求項２９】
下記を具備する、第１無線ネットワークにおいて、アクセス端末のためのインターネットプロトコル（ＩＰ）セッションを維持するための方法：
前記第１無線ネットワークを介してネットワーク要素を用いて前記ＩＰセッションを確立する；
前記ＩＰセッションのための第１アドレスの割当てを受信する；
第２無線ネットワークを用いて第２セッションを確立する；
前記第２セッションのための第２アドレスの割当てを受信する；
前記ＩＰおよび第２セッションのためのプロトコルスタックを維持する、前記プロトコルスタックは、それぞれ前記第１および第２無線ネットワークを介して確立された前記ＩＰおおよび第２セッションのために使用される前記第１および第２アドレスを含む；
前記第１無線ネットワークに同調していないなら、前記ＩＰセッションを維持するための要求を前記第１無線ネットワークに送信する；
送信先アドレスとして前記第２アドレスを前記第１無線ネットワークに送信する；
前記第２無線ネットワークからページを受信する；
前記受信したページに応答して前記第１無線ネットワークとの接続を確立する；および
前記第１無線ネットワークからパケットを受信する。
【請求項３０】
下記を具備する、アクセス端末：
データおよびメッセージを受信し符号化し、前記符号化されたデータを変調し、前記変調されたデータを、送信媒体を介して送信のために適した第１の変調された信号に変換するように動作する送信器装置；
第２の変調された信号を受信し、前記受信された信号を復調して復調されたデータを供給し、前記復調されたデータを復号して、送信されたデータとメッセージを再生する；および
前記送信器装置および受信器装置に接続され、第１の無線ネットワークを介してネットワーク要素を用いてＩＰセッションの確立を指示し、第２無線ネットワークとの第２のセッションの確立を指示し、前記第１無線ネットワークに同調していない間に前記ＩＰセッションを維持するための要求を前記第１無線ネットワークに送信することを指示し、送信先アドレスを前記第１無線ネットワークに送信することを指示し、前記第２無線ネットワークからの通信を受信することを指示し、前記第２の無線ネットワークからの前記受信した通信に応答して、前記第１無線ネットワークとの接続の確立を指示し、および前記第１無線ネットワークからのパケットの受信を指示するように動作するコントローラ。
【請求項３１】
それぞれ、前記第１無線ネットワークおよび前記第２無線ネットワークを介して確立された前記ＩＰおよび第２セッションのための情報を記憶するように構成されたプロトコルスタック、前記記憶された情報は、前記ＩＰおよび第２セッションのために使用されるアドレスを含む、請求項３０のアクセス端末。
【請求項３２】
下記を具備する、第１無線ネットワークにおけるアクセスポイント：
データおよびメッセージを受信し符号化し、前記符号化されたデータを変調し、前記変調されたデータを、送信媒体を介して送信のために適した第１の変調された信号に変換するように動作する送信器装置；
第２の変調された信号を受信し、前記受信した信号を復調して復調されたデータを発生し、前記復調されたデータを復号して、送信されたデータおよびメッセージを再生するように動作する受信器装置；および
前記送信器装置および受信器装置に接続され、ネットワーク要素を用いてアクセス端末のためのＩＰセッションの確立を指示し、前記アクセス端末が前記第１無線ネットワークに同調していないなら、前記ＩＰセッションを維持するための要求を受信することを指示し、前記アクセス端末のための送信先アドレスの受信を指示し、前記アクセス端末が前記第１無線ネットワークに同調していない表示の受信を指示し、前記アクセス端末のための第１パケットの受信を指示し、前記第１パケットの受信に応答して第２パケットの送信を指示し、前記第２パケットは、前記送信先アドレスを用いて前記アクセス端末にアドレス指定され、前記第１無線ネットワークが前記アクセス端末のためのデータを有することを示し、前記アクセス端末との接続の確立を指示し、および前記第１パケットを前記アクセス端末に送信することを指示するように構成されたプロセッサ。
【発明の詳細な説明】
【技術分野】
【０００１】
分野
［１００１］この発明はデータ通信に関する。特に、この発明は、無線ネットワークに同調しないけれども、無線ネットワークを有するインターネットプロトコル（ＩＰ）セッションを維持するための新規で改良された方法および装置に関する。
【背景技術】
【０００２】
背景
［１００２］インターネットのような、コンピュータネットワークの爆発的成長は、これらのネットワークにより発生される大量のデータトラヒックをサポートすることができる高いデータレートインフラストラクチャの需要を引き起こした。おおよそ、インターネットの成長に伴うものは、いろいろなアプリケーションをサポートすることができる無線通信システムの配備と受け入れである。しかしながら、旧世代の無線通信システムは一般に音声通信用に設計されており、インターネットにより発生されたデータトラヒックを送信するには効率が良くないかもしれない。
【０００３】
［１００３］旧世代の無線通信システムの一例は、１９９０年２月１３日に発行された米国特許番号第４，９０１，３０７号（発明の名称：「衛星または地上リピータを用いたスペクトラム拡散多重アクセス通信システム」(SPREAD SPECTRUM MULTIPLE ACCESS COMMUNICATION SYSTEM USING SATELLITE OR TERRESTRIAL REPEATERS)）および１９９２年４月７日に発行された米国特許番号第５，１０３，４５９号（発明の名称：「ＣＤＭＡセルラ電話システムにおいて信号波形を発生するためのシステムおよび方法」(SYSTEM AND METHOD FOR GENERATING SIGNAL WAVEFORMS IN A CDMA CELLULAR TELEPHONE SYSTEM))に開示された符号分割多重アクセス（ＣＤＭＡ）システムである。効率的にパケットデータを送信するように設計されたより新しい世代のＣＤＭＡ通信システムは、１９９７年１１月３日に出願された米国特許出願シリアル番号第０８／９６３、３８６（発明の名称：「高レートパケットデータ送信のための方法および装置」(METHOD AND APPARATUS FOR HIGH RATE PACKET DATA TRANSMISSION))（以下ＨＤＲシステムと呼ぶ）に開示されている。これらの特許および特許出願は、この発明の譲受人に譲渡され、参照することによりここに組み込まれる。
【０００４】
［１００４］ＣＤＭＡシステムは一般に、１つ以上のＣＤＭＡ標準に一致するように設計される。そのようなＣＤＭＡ標準の例は、（１）広帯域スペクトラム拡散セルラシステムのためのＴＩＡ／ＥＩＡ／ＩＳ−９５−Ｂ移動局−基地局互換標準（以下、ＩＳ−９５標準）；（２）「デュアルモードスペクトラム拡散セルラおよびＰＣＳ移動局のための推奨される最小性能標準」というタイトルがつけられたＴＩＡ／ＥＩＡ／ＩＳ−９８−Ａ，−Ｂ，−Ｃ，およびーＤ標準（以下、ＩＳ−９８標準）；（３）「第三世代パートナーシッププロジェクト２」（３ＧＰＰ２）という名前の協会により提供され、文献番号Ｃ．Ｓ０００２−Ａ、Ｃ．Ｓ０００５−Ａ、Ｃ．Ｓ００１０−Ａ、Ｃ．Ｓ００１１−Ａ、Ｃ．Ｓ００２４、およびＣ．Ｓ００２６を含む文献のセットに具現化された標準（以下、ｃｄｍａ２０００標準）；および（４）「第三世代パートナーシッププロジェクト」（３ＧＰＰ）という名前の協会により提供され、文献番号３Ｇ  ＴＳ  ２５．２１１、３Ｇ  ＴＳ  ２５．２１２、３Ｇ  ＴＳ  ２５．２１３、および３Ｇ  ＴＳ  ２５．２１４を含む文献のセットに具現化された標準（以下、Ｗ−ＣＤＭＡ標準と呼ぶ）を含む。ＨＤＲシステムは、「ＴＩＥ／ＥＩＡ／ＩＳ−８５６  ｃｄｍａ２０００  高レートパケットデータ大気中インターフェース仕様書」（以下、ＨＤＲ仕様書）というタイトルがつけられた文献に定義された仕様に一致するように設計することができる。標準は参照することにより個々に組み込まれる。
【０００５】
［１００５］いろいろなアプリケーションのための無線データ通信のためのますます増加する需要を考えると、特定の地理上の区域をカバーするために、複数の無線ネットワークを同時に配備してもよい。そのような重畳配備において、一方の無線ネットワーク（例えば、ｃｄｍａ２０００ＣＤＭＡ無線ネットワーク）は、音声、データ、ページング、および他のサービスを提供するために配備し、他方の無線ネットワーク（例えば、ＨＤＲ無線ネットワーク）は、パケットデータサービスを提供するために配備してもよい。これらの無線ネットワークは、参照することによりここに組み込まれる「ｃｄｍａ２０００アクセスネットワークインターフェースのための相互実施可能性仕様書（ＩＯＳ）に定義されるようなネットワークインターフェースを介して相互に作用する。
【０００６】
［１００６］複数モードアクセス端末は、種々のタイプのサービスのために複数の無線ネットワークと通信する能力を有するように設計することができる。そのような設計の場合、データサービスのためのＨＤＲ無線ネットワークを用いてインターネットプロトコル（ＩＰ）セッションを開始し、その後、音声、ページング、または他のサービスを受信するために、ＣＤＭＡ無線ネットワーク（例えば、ｃｄｍａ２０００、Ｗ−ＣＤＭＡまたはその他の標準に準拠するもの）を用いて他方のセッションを開始するようにしてもよい。サービスを強化するためには、アクセス端末が、ＨＤＲ無線ネットワークとＣＤＭＡ無線ネットワークとの間を移動したとしても、アクセス端末がＩＰ接続性を維持することができることが望ましい。
【０００７】
［１００７］従って、複数（例えば、ＨＤＲおよびｃｄｍａ２０００）の無線ネットワークの重畳配備においてＩＰ接続性を効率的に維持するための技術が強く望まれている。また、そのような技術は、ＣＤＭＡ無線ネットワークの既存の仕様および動作に対して最小の変更または全く変更せずに実施できることが望ましい。
【発明の開示】
【課題を解決するための手段】
【０００８】
［１００８］この発明は、アクセス端末が第２（例えば、ｃｄｍａ２０００  ＣＤＭＡ）無線ネットワークに同調しながら、第１（例えば、ＨＤＲ）無線ネットワークを介して確立されたインターネットプロトコル（ＩＰ）セッションを維持するための新規で改良された技術を提供する。登録、構成、第１および第２無線ネットワークとのセッション確立プロセスの期間、確立セッション期間中に使用するために、アクセス端末には、それぞれ第１および第２のＩＰアドレスを割当てることができる。その後、アクセス端末が第１無線ネットワークを離れると、アクセス端末は、このネットワークを介して確立されたＩＰセッションを維持するように要求することができる。アクセス端末は順方向アドレスも供給する。これは一般的には、第２ＩＰアドレスである。その後、第１無線ネットワークがアクセス端末を有しているなら、第１無線ネットワークは順方向アドレスを用いてアクセス端末に「なりすまし」パケットを送信する。なりすましパケットは、アクセス端末に対して利用可能なデータがあることを示すことができる。なりすましパケットに応答して、第２無線ネットワークから１頁を受信すると、アクセス端末は、第１無線ネットワークと接続を確立し、データを受信する。
【０００９】
［１００９］この発明のある観点に従って、外部ネットワーク要素（例えば、パケットデータサービングノード（ＰＤＳＮ）、エンドホスト、その他）に対して、例え、第１および第２無線ネットワーク間でアクセス端末が前後に遷移できるとしても、アクセス端末のＩＰアドレスは、単に第１ＩＰアドレスであり得る。従って、アクセス端末のためのＩＰセッションは、例え、アクセス端末が複数の無線ネットワーク間で切り替わっても継ぎ目の無い方法で維持することができる。アクセス端末が複数の無線ネットワーク間をいつ切り替わろうとも、ＰＰＰインスタンスを移動することに関連したオーバーヘッドは無い。何故なら、メインＰＰＰインスタンスは第１無線ネットワークを介して維持されるからである。
【００１０】
［１０１０］この発明は、上述した方法を実施することができる、種々の方法、アクセス端末およびアクセスポイントを提供する。この発明の他の観点と実施の形態は以下にさらに詳細に記載する。
【発明を実施するための最良の形態】
【００１１】
［１０１１］この発明の特徴、性質および利点は、同一部に同符号を付した図面とともに、以下に述べる詳細な記載からより明白になるであろう。
【００１２】
詳細な説明
［１０１８］図１は、無線電話無線ネットワーク１２２と関連した配置された高データレート（ＨＤＲ）無線ネットワーク１２０を含む通信システムの一実施の形態の図である。ＨＤＲ無線ネットワーク１２０は、パケットデータを送信するために使用することができ、固定の、形態の、および移動の環境において、無線インターネットサービスをサポートするために使用してもよい。ＨＤＲ無線ネットワーク１２０は、上述した米国特許出願シリアル番号０８／９６３，３８６に記載された、そして上述したＨＤＲ仕様に準拠する設計に基づいて実施することができる。無線電話ネットワーク１２２は、音声、データ、ページング、または他のサービスをサポートするために使用することができ、いかなる特定の標準（例えば、ＩＳ−９５、ｃｄｍａ２０００、Ｗ−ＣＤＭＡ等）に準拠することができるＣＤＭＡ、ＴＤＭＡまたはＧＳＭ無線ネットワークであり得る。特定の実施の形態において、電話無線ネットワーク１２２は、ｃｄｍａ２０００標準に準拠するＣＤＭＡ無線ネットワークである。簡単のために、電話無線ネットワーク１２２は以下、ＣＤＭＡネットワーク１２２と呼ぶ。
【００１３】
［１０１９］ＨＤＲおよびＣＤＭＡ無線ネットワークの二重配置と動作は、この発明の譲受人に譲渡され、参照することによりここに組み込まれる、２０００年３月１９日に出願された米国特許出願シリアル番号第０９／５７５、０７３（発明の名称：「高データレート無線パケットデータ通信システム」(HIGH DATA RATE WIRELESS PACKET DATA COMMUNICATION SYSTEM)に記載された方法で達成することができる。
【００１４】
［１０２０］ＨＤＲ無線ネットワーク１２０は、多数のＨＤＲ基地局コントローラ（ＨＤＲ  ＢＳＣ）１５０とインターフェースする多数のアクセスポイント１３０を含む（簡単のために、各々の１つのみが図１に示される）。各ＨＤＲ  ＢＳＣ１５０はさらに、パケットデータ送信をサポートするパケットデータサービングノード（ＰＤＳＮ）１６０に接続する。ＰＤＳＮ１６０はさらに、ＲＡＤＩＵＳサーバー１７６０、認証サーバー１７２、およびパケットデータ送信もサポートする他のネットワークおよびサーバーにさらに相互接続可能なＩＰネットワーク１８０に接続することができる。ＰＤＳＮとサーバーは、上述の米国特許出願シリアル番号第０９／５７５，０７３にさらに詳細に記載されている。
【００１５】
［１０２１］ＣＤＭＡ無線ネットワーク１２２は、多数のＣＤＭＡ基地局コントローラにインターフェースする多数の基地局トランシーバ（ＢＴＳ）１３２を含む（この場合もやはり、簡単のために、各々の１つのみが図１に示される）。各ＣＤＭＡ  ＢＳＣ１５２はさらにＰＤＳＮ１６０に接続され、さらに破線で示すように、ＨＤＲ  ＢＳＣ１５０に直接接続してもよい。図１には示していないけれども、ＨＤＲ  ＢＳＣ１５０は一方のＰＤＳＮを接続することができ、ＣＤＭＡ  ＢＳＣ１５２は他方のＰＤＳＮを接続することができ、ＰＤＳＮｓは、何らかのネットワークを介して互いに接続することができる。ＨＤＲとＣＤＭＡ無線ネットワークの動作は、上述した標準に記載されている。
【００１６】
［１０２２］アクセスポイント１３０は、ＢＴＳ１３２と同一場所に配置することができる別個の装置にパッケージ化することができる。この配置は、電話ネットワーク機器プロバイダと同じではないかもしれない製造業者からのＨＤＲ機器をサービスプロバイダが配置可能にする点で柔軟性を提供する。あるいは、アクセスポイント１３０はＢＴＳ１３２内に一体形成することができる。ＨＤＲおよびＣＤＭＡ無線ネットワークの種々の配置が可能であり、この発明の範囲内である。
【００１７】
［１０２３］より一層の互換性と柔軟性のために、ＨＤＲ無線ネットワーク１２０の機能性は、ＣＤＭＡ無線ネットワーク１２２の機能性にほぼマップするように設計することができる。これによって、ＨＤＲ無線ネットワーク１２０は、ＣＤＭＡ無線ネットワーク１２２と一体形成することができ、同じＰＤＳＮ１６０に接続することができる。ＨＤＲ無線ネットワークのＲＦ特性もＣＤＭＡ無線ネットワークのＲＦ特性と同様に設計することができる。これによって、ＨＤＲとＣＤＭＡ無線ネットワークは、セルサイト、タワー、アンテナおよび他のシステム要素を共有することができる。
【００１８】
［１０２４］ＨＤＲ無線ネットワーク１２０は、ＣＤＭＡ無線ネットワーク１２２と同じモデルに準拠することができるけれども、これらの無線ネットワーク間には一般に依存関係は無い。従って、ＨＤＲ無線ネットワーク１２０は、ＣＤＭＡ無線ネットワーク１２２と独立して配置することもできるし、ＣＤＭＡ無線ネットワーク１２２と連動して配置することもできるし、あるいはＣＤＭＡ無線ネットワーク１２２と一体形成することもできる。従って、種々のアーキテクチャを用いたＨＤＲ無線ネットワークの種々の配置が可能であり、そのいくつかは、上述した米国特許出願シリアル番号第０９／５７５，０７３に記載されている。
【００１９】
［１０２５］通信システム１００内において、多数のアクセス端末１１０（簡単のために図１において１つのみ示している）は、ＨＤＲ無線ネットワークのアクセスポイント１３０およびＣＤＭＡ無線ネットワークのＢＴＳ１３２と通信する。アクセス端末がソフトハンドオフにあるかどうかおよびアクセス端末が１つの無線ネットワークまたは両方の無線ネットワークに登録されたかどうかに応じて、各アクセス端末１１０は、１つ以上のアクセスポイント１３０と通信し、および／または無線リンクを介して１つ以上のＢＴＳ１３２と通信する。マルチモードアクセス端末１１０はＣＤＭＡから、またはＨＤＲから、または両方から（そして恐らく同時に）サービス（例えば、音声、データ、ページング、その他）受信することができるかもしれない。
【００２０】
［１０２６］アクセス端末１１０は、例えば電話、モデム、モジュール、その他の装置のような種々の物理的実施形態で実施可能である。アクセス端末１１０は、無線リンクまたは有線リンクを介しておよび種々の相互接続層を用いて、アクセス端末を他の装置（例えば、コンピュータ、電気器具、パーソナルデジタルアシスタンス（ＰＤＡ）、セットトップボックス、プリンタ、等）とインターフェース可能にさせるデータインターフェースを含むことができる。図１に示す特定の例において、アクセス端末１１０は（実線で示すように）ＣＤＭＡ無線ネットワークと通信中であり、（陰影の無い稲妻線に示されるように）ＨＤＲ無線ネットワークとのセッションを確立したが、現在同調していない。
【００２１】
［１０２７］図２は、多数のサービスネットワークに相互接続された多数の無線ネットワークを含むアクセスネットワーク２００のブロック図である。無線ネットワークはＨＤＲ無線ネットワーク１２０、ＣＤＭＡ無線ネットワーク１２２、その他の無線ネットワーク、またはそれらの組合せを含むことができる。サービスネットワークはＰＤＳＮ１６０、携帯電話システム向け交換機（ＭＳＣ）１６２、その他のサービスネットワーク、またはそれらの組合せを含むことができる。無線ネットワーク１２０および１２２はこれらのネットワーク内のアクセス端末に対して無線アクセスを供給する。ＰＤＳＮ１６０はパケットデータサービスをアクセス端末に供給し、例えば、ポイントツーポイントプロトコル（ＰＰＰ）、ＲＡＤＩＵＳプロトコル、および移動ＩＰプロトコルのような機能性をサポートする。ＭＳＣ１６２は音声、データ、ページング、および他のサービスをサポートし、さらに、音声機能だけを提供する既存の電話サービス（ＰＯＴｓ）との通信を供給するために、公衆交換電話網（ＰＳＴＮ）に相互接続可能である。これらの無線ネットワークおよびサービスネットワークはさらに上述した米国特許出願シリアル番号第０９／５７５，０７３に記載されている。
【００２２】
［１０２８］図２に示すように、各無線ネットワークは、上述した相互運用性仕様に定義された１つ以上のネットワークインターフェースを介してサービスネットワークにインターフェースする。パケットデータサービスの場合、インターフェースはＰＣＦ（パケット制御機能）からＰＤＳＮに向かうトラヒックインターフェース（Ａ１０）およびＰＣＦからＰＤＳＮへのシグナリングインターフェース（Ａ１１）である。ＩＳ−４１およびＰＳＴＮサービスの場合、インターフェースは、ＢＳＣからＭＳＣに向かうシグナリングインターフェース（Ａ１）とＢＳＣからＭＳＣ  ＰＣＭに向かうトラヒックインターフェース（Ａ２）である。例えば、ＨＤＲ無線ネットワーク１２０は、Ａ１、Ａ１０、およびＡ１１インターフェースを介してＰＤＳＮ１６０およびＭＳＣ１６２の各々とインターフェースすることができる。同様に、ＣＤＭＡ無線ネットワーク１２２はＡ１、Ａ２、Ａ１０およびＡ１１インターフェースを介してＰＤＳＮ１６０およびＭＳＣ１６２の各々とインターフェースすることができる。特に、ＨＤＲとＣＤＭＡ  ＢＳＣｓとＰＤＳＮの各々間の相互接続は、無線ネットワーク−ＰＤＳＮ（あるいは単に「Ｒ−Ｐ］）インターフェースを介して達成することができる。これは、無線ネットワークとサービスネットワークとを相互接続するために使用される「Ａインターフェース」の一部である。図１に戻ると、ＰＤＳＮ１６０は、Ｒ−Ｐインターフェースを介して多数のＨＤＲ  ＢＳＣｓ１５０およびＣＤＭＡ  ＢＳＣｓ  １５２と通信することができる。
【００２３】
［１０２９］図３はこの発明の一実施の形態に従って、アクセス端末１１０とＨＤＲとＣＤＭＡ無線ネットワークとの間の通信の図である。ＨＤＲ無線ネットワーク内の各ＨＤＲ  ＢＳＣ１５０およびＣＤＭＡ無線ネットワーク内の各ＣＤＭＡ  ＢＳＣ１５２は特定のカバー領域をカバーするように設計される。アクセス端末１１０がＨＤＲ無線ネットワークカバーエリア（すなわち、ＨＤＲ登録境界）に入ると、アクセス端末は、その領域をカバーする特定のＨＤＲ  ＢＳＣ１５０を介してＨＤＲ無線ネットワークへの登録を開始することができる。
【００２４】
［１０３０］ＨＤＲ無線ネットワークへの登録プロセスの期間、これは最初にアクセス端末がその特定のＨＤＲネットワークに上がってくるとき実行されるが、アクセス端末は、無線ネットワークとのセッションを確立することができる。セッションの確立は一般にプロトコルネゴシエーション、パラメータネゴシエーション、およびＵＡＴＩ（ユニキャストアクセス端末識別子）割当てを含む。セッション構成は、次の通信のために使用される（種々のシグナリング層における）プロトコルのセットを確立するために、および各確率されたプロトコルのために使用されるパラメータのセットを確立するために、アクセス端末とＨＤＲ無線ネットワークにより実行される。デフォルトのプロトコルおよび／またはパラメータを使用のために選択することができる。あるいは、プロトコルおよび／またはパラメータは両方のエンティティによりネゴシエートすることができる。
【００２５】
［１０３１］アクセス端末には、ＨＤＲ  無線ネットワークにこのアクセス端末を特に識別させることを可能にするＵＡＴＩも割当てられる。セッション構成の一部として、マルチモードアクセス端末は、そのＩＭＳＩ（国際移動局識別）をＨＤＲ無線ネットワークに送信することができる。しかしながら、ＨＤＲ無線ネットワークは、アクセス端末のＩＭＳＩを認証することができないかもしれない。従って、ＵＡＴＩは一般に、次の通信において、アクセス端末を識別するためにＨＤＲ無線ネットワークによるＩＭＳＩの代わりにセッション識別子として使用される。
【００２６】
［１０３２］アクセス端末はさらにＨＤＲ無線ネットワークを介してＰＤＳＮとのＩＰセッションを確立することができる。ＩＰセッション確立（特に、ＰＰＰネゴシエーションの期間）の期間、アクセス端末には、そのセッションの期間中に使用されるＩＰアドレス（例えば、ａ、ｂ、ｃ、ｄ）を割当てることができる。アクセス端末、ＨＤＲ無線ネットワーク、およびＰＤＳＮとの間の通信の場合、アクセス端末は、その割当てられたＵＡＴＩおよび関連するＩＰアドレスにより識別される。
【００２７】
［１０３３］ＨＤＲ無線ネットワークのためのセッション確立と構成は上述したＨＡＩ仕様および、この発明の譲受人に譲渡され、参照することによりここに組み込まれる、２０００年２月７日に出願された米国特許出願シリアル番号第０９／４９９，１９６（発明の名称：「通信システムにおいて、構造化可能な層とプロトコルを供給するための方法および装置」(METHOD AND APPARATUS FOR PROVIDING CONFIGURABLE LAYERS AND PROTOCOLS IN A COMMUNICATION SYSTEM)）にさらに詳細に記載される。ＩＰアドレスの割当ては、参照することによりここに組み込まれる「無線ＩＰネットワーク標準」（以下、無線ＩＰ標準）というタイトルがつけられた３ＧＰＰ２標準団体により採用された標準にさらに詳細に記載される。
【００２８】
［１０３４］アクセス端末がＣＤＭＡ無線ネットワーク受信地域に入ると、アクセス端末をその領域をカバーする特定のＣＤＭＡ  ＢＳＣ１５２を介してＣＤＭＡ無線ネットワークへの登録を同様に開始することができる。ＣＤＭＡ無線ネットワークへのアクセス端末への登録は実施される特定のＣＤＭＡ標準（例えば、ｃｄｍａ２０００標準）に従って実行することができる。マルチモードアクセス端末は一般には、例えＨＤＲ無線ネットワークに同調していたとしても、ＣＤＭＡ無線ネットワークに登録することができる。ｃｄｍａ２０００ＣＤＭＡ無線ネットワークの場合、セッション確立は、権限が付与された登録メッセージをＣＤＭＡ無線ネットワークに送信することにより、開始することができる。登録メッセージは、ＣＤＭＡ無線ネットワークにアクセス端末の存在を知らせる。登録後、ＣＤＭＡ  ＢＳＣはアクセス端末を識別し、追跡することができる。
【００２９】
［１０３５］ｃｄｍａ２０００標準に従って、アクセス端末の認証は登録プロセスの一部として実行され、登録メッセージ内の認証フィールドを用いて達成される。認証を介して、アクセス端末は、自分自身が主張しているところのものをＣＤＭＡ  ＢＳＣに証明することができる。認証プロセスの一部として、アクセス端末は、真にアクセス端末のみが発生することができる番号（ＡＵＴＨＲ）を発生する（何故なら、真のアクセス端末のみが秘密鍵を有するからである）。認証プロセスは上述したｃｄｍａ２０００標準に記載される。
【００３０】
［１０３６］ＣＤＭＡ無線ネットワークへの登録プロセスの後で、アクセス端末は、ＣＤＭＡ無線ネットワークを介してＰＤＳＮとの別のＩＰセッションを確立することができる。ＨＤＲ無線ネットワークを介して確立された最初のＩＰセッションにおいて、アクセス端末は、ＨＤＲ無線ネットワークにより割当てられたＵＡＴＩにより識別される。何故なら、アクセス端末のＩＭＳＩは認証されなかったからである。ＣＤＭＡ無線ネットワークを介して確立された第２のＩＰセッションの場合、アクセス端末は、ＩＭＳＩにより識別される。この結果、この第２のＩＰセッションの場合、アクセス端末にはセッション中に使用されるための別のＩＰアドレス（例えば、ｗ、ｘ、ｙ、ｚ）を割当てることができる。
【００３１】
［１０３７］従って、ＨＤＲ無線ネットワークとＣＤＭＡ無線ネットワークを介して確立されたＰＤＳＮとの２つのＰＰＰセッションに対して、２つのＩＰアドレス（例えば、ａ、ｂ、ｃ、ｄおよびｗ、ｘ、ｙ、ｚ）をアクセス端末に割当てることができる。同じアクセス端末に対する２つのＩＰアドレスの割当ては、ＰＤＳＮに対して、アクセス端末を識別するためにＵＡＴＩとＩＭＳＩを使用することに由来する。ＰＤＳＮは２つのＩＰアドレスが同じアクセス端末に割当てられたことに気付いていない。従って、確立されたＰＰＰセッションは、ＰＤＳＮとの２つの別個の独立したＰＰＰセッションを表す。無線ネットワークのためのＩＰサポートは、上述した無線ＩＰ標準にさらに詳細に記載されている。
【００３２】
［１０３８］アクセス端末をＨＤＲ無線ネットワークおよびＣＤＭＡ無線ネットワークに登録する時間的順番は、一般に重要ではない。ＨＤＲ無線ネットワーク登録境界とＣＤＭＡ無線ネットワーク登録境界は一般に、ある程度重畳し、ほぼそろえるように動作することができる。アクセス端末は、アクセス端末が接触する無線ネットワークがどんなものであっても一般に登録することができる（すなわち、それぞれの受信地域に入るとＨＤＲおよび／またはＣＤＭＡ無線ネットワークと接触する）。特定の無線ネットワークへのアクセス端末の登録は適用規格に記載されている。特定の無線ネットワークとのセッションを確立すると、、その後アクセス端末は、その時々に、無線ネットワークとの接続を確立する。確立された接続を介して、アクセス端末は、無線ネットワークとデータを交換することができる。
【００３３】
［１０３９］図４Ａは、無線ＩＰ標準に従う簡単ＩＰのためのプロトコル規範モデルの図である。図４Ａに示すように、アクセス端末は、エアーリンク(air-link)プロトコルの上で動作するリンクアクセス制御（ＬＡＣ）プロトコルおよびメディアアクセス制御（ＭＡＣ）プロトコルを介して（ＨＤＲまたはＣＤＭＡ）無線ネットワークと通信する。無線ネットワークは、物理層（ＰＬ）の上で動作するＲ−Ｐインターフェースを介してＰＤＳＮと通信する。ＰＤＳＮはさらに、特定のリンク層および物理層の上で動作するＩＰプロトコルを介して他のネットワークエレメント（例えば、エンドホスト）と通信することができる。アクセス端末は、ＰＤＳＮとのＰＰＰセッションを維持することができ、ＩＰセッションを介してＰＤＳＮおよびエンドホストとさらに通信することができる。アクセス端末とエンドホストは、送信制御プロトコル（ＴＣＰ）、ユーザデータグラムプロトコル（ＵＤＰ）、またはその他のプロトコルを用いて実施することができる、トランスポート層を介してデータを交換することができる。
【００３４】
［１０４０］図４Ｂは、無線ＩＰ標準に従う移動ＩＰのためのプロトコル規範モデルの図である。図４Ｂに示すモデルは図４Ａに示すモデルと類似しているが、リンク層および物理層の上で動作するＩＰ／ＩＰｓｅｃプロトコルを介してＰＤＳＮと通信することができるホームエージェント（ＨＡ）を含む。エンドホストはホームエージェントを介してアクセス端末と通信する。簡単のために図４Ｂには示していないけれども、外国エージェント（ＦＡ）をＰＤＳＮとホームエージェントとの間に介挿してもよい。
【００３５】
［１０４１］図５は、アクセス端末のためのＩＰ接続性を維持するために種々のネットワークエレメント間の通信の図である。最初にアクセス端末は、ステップ５１０において、ＨＤＲ無線ネットワークに登録し、ＩＰセッションを確立し、ＩＰセッションの期間に使用するためにＩＰアドレス（例えば、ａ、ｂ、ｃ、ｄ）を割当てることができる。また、ステップ５１２において、アクセス端末はＣＤＭＡ無線ネットワークに登録し、別のＩＰセッションを確立し、第２のＩＰアドレス（例えば、ｗ、ｘ、ｙ、ｚ）を割当てることができる。
【００３６】
［１０４２］ＨＤＲ無線ネットワークとＣＤＭＡ無線ネットワークは各々特定のアクセス端末に対してＩＰ接続をサポートすることができる。ＣＤＭＡ無線ネットワークとのＩＰ接続を確立するために、トラヒックチャネルが最初に確立される。これは、使用されるプロトコルを選択するために、およびプロトコルパラメータをネゴシエートするために、アクセス端末とＣＤＭＡ無線ネットワークとの間のメッセージ交換を介して達成することができる。アクセス端末とＣＤＭＡ無線ネットワークとの間の無線リンクプロトコル（ＲＬＰ）層は、ＲＬＰ内の制御メッセージ（例えば、同期、同期／アクノレジメント（ａｃｋ））およびａｃｋを介して同期が取られる。次に、アクセス端末とＰＤＳＮとの間のＰＰＰ層が同期される。これはリンク制御プロトコル（ＬＣＰ）の同期を取り、認証を実行し、ＩＰ制御プロトコル（ＩＰＣＰ）の同期を取ることを含む。その後、ＣＤＭＡ無線ネットワークを介してアクセス端末とＰＤＳＮとの間でデータパケットを交換することができる。ＨＤＲ無線ネットワークとのＩＰ接続の確立は、同様の方法で達成することができる。
【００３７】
［１０４３］この発明に従って、アクセス端末がＨＤＲ無線ネットワークからＣＤＭＡ無線ネットワークに移動するなら、アクセス端末は、ステップ５２２において、ＨＤＲ無線ネットワークと確立されたＩＰセッションを維持することに関心があることをＨＤＲ無線ネットワークに知らせることができる。アクセス端末はまたＨＤＲ無線ネットワークにその順方向ＩＰアドレス（例えば、ｗ、ｘ、ｙ、ｚ）を知らせる。この要求および順方向情報に基づいて、ＨＤＲ無線ネットワークは、確立されたＩＰセッションを維持することができる。その後、ＨＤＲ無線ネットワークは、アクセス端末のためのデータを持つときはいつでも、（順方向ＩＰアドレスを用いて）アクセス端末に通知することができる。
【００３８】
［１０４４］ステップ５２４において、アクセス端末は、その次に、音声、データ、ページング、およびその他のサービスを受信するためにＣＤＭＡ無線ネットワークに同調することができる。アクセス端末は、より良いページングサービスを受信するためにまたは入って来る音声呼を待つために、ＣＤＭＡ無線ネットワークに移動することができる。事実、アクセス端末は、特定の通信セッションの期間、何度でもＨＤＲとＣＤＭＡ無線ネットワークとの間で前後に移動することができる。
【００３９】
［１０４５］アクセス端末は、ＣＤＭＡ無線ネットワークに同調するけれども、ＰＤＳＮは、宛先ＩＰアドレスとしてアクセス端末に割当てられた第１ＩＰアドレス（例えば、ａ、ｂ、ｃ、ｄ）を持つパケットを受信することができる。次に、ステップ５３２において、ＰＤＳＮは、最初のＩＰアドレスがＨＤＲ無線ネットワークに関係していることをルーチングテーブルが示しているので、パケットを通常の方法で、ＨＤＲ無線ネットワークに送るであろう。ＨＤＲ無線ネットワークはパケットを受信し、宛先ＩＰアドレスを抽出し、抽出したＩＰアドレスが、ＨＤＲ無線ネットワークに同調していないが、ＩＰセッションを維持するように要求したアクセス端末に属することを認識する。
【００４０】
［１０４６］次に、ＨＤＲ無線ネットワークは、アクセス端末に対して利用可能なデータがあることをアクセス端末に知らせようと試みる。一実施の形態において、ＨＤＲ無線ネットワークは、アクセス端末に対してＩＰパケットを「なりすます」（すなわち、「なりすまし」パケットをアクセス端末に送信する。なりすましパケットは、宛先ＩＰアドレスとしてアクセス端末の順方向アドレス（例えば、第２ＩＰアドレス、ｗ、ｘ、ｙ、ｚ）を含む。なりすましパケットは、ＨＤＲ無線ネットワークがアクセス端末のためのデータを有することをアクセス端末に通知するためのメッセージも含んでいても良い。ステップ５３４において、なりすましパケットは、ＨＤＲ無線ネットワークによりＰＤＳＮに送信される。
【００４１】
［１０４７］ＰＤＳＮは、なりすましパケットを受信し処理する。なりすましパケットは、通常のＩＰパケットの外観を有し、通常のＩＰパケットのような通常の方法で処理される。ステップ５３６において、ＰＤＳＮは次に、なりすましパケットをＣＤＭＡ無線ネットワークに送る。何故なら、そのルーチングテーブルは、第２ＩＰアドレスがこのネットワークに関連していることを示しているからである。ＣＤＭＡ無線ネットワークはなりすましパケットを受信して処理し、そのパケットをアクセス端末に送信することができる。ステップ５３８において、アクセス端末が休眠状態なら、ＣＤＭＡ無線ネットワークはデータサービスページをアクセス端末に送ることができる（なぜならば、ＣＤＭＡ無線ネットワークは、アクセス端末の真のＩＭＳＩを知っているからである）。ステップ５４０において、アクセス端末はページを受信し、特定のＣＤＭＡ無線ネットワークの要件に応じて、ページアクノレジメントを有したページに応答することができる。
【００４２】
［１０４８］ステップ５４２において、データサービスページを受信することに応答して、アクセス端末は、ＨＤＲ無線ネットワークがアクセス端末のためのデータを有していることを決定することができ、ＨＤＲ無線ネットワークとの接続を確立する。接続確立を介して、アクセス端末には、次のデータ交換に使用するために、１つ以上のトラヒックチャネルが割当てられる。その後ステップ５４４において、元々ＰＤＳＮから送られた第１ＩＰアドレスを有したパケットは、ＨＤＲ無線ネットワークによりアクセス端末に送信される。アクセス端末がＨＤＲ無線ネットワークとの確立された接続を有しながら、データ交換を何度でも生じることが出来る。データ送信が完了すると、アクセス端末またはＨＤＲ無線ネットワークにより命令されると、または、特定の非活動期間の後自動的に分解することができる。その後、アクセス端末はＣＤＭＡ無線ネットワークに戻り、再び、ＨＤＲ無線ネットワークを介して確立されたＩＰセッションが維持されるよう要求してもよい。
【００４３】
［１０４９］図１および図３において、ＨＤＲ無線ネットワークとＣＤＭＡ無線ネットワークはパケットの経路選択を供給する同じＰＤＳＮに接続されるように示されている。ＨＤＲ無線ネットワークとＣＤＭＡ無線ネットワークは、それぞれ２つのＰＤＳＮに接続するようにしてもよい。この場合、なりすましパケットは、ＨＤＲ無線ネットワークから第１ＰＤＳＮに送ることができる。次に、第１ＰＤＳＮはそのパケットを第２ＰＤＳＮに送る。次に、第２ＰＤＳＮはそのなりすましパケットをＣＤＭＡ無線ネットワークに送る。この場合もやはり、なりすましパケットは、一般的な方法で、ＰＤＳＮｓとＣＤＭＡ無線ネットワークにより処理することができる。
【００４４】
［１０５０］上記記載からわかるように、ＰＤＳＮおよび他のネットワークエレメント（例えば、エンドホスト）に対して、例え、アクセス端末がＨＤＲ無線ネットワークとＣＤＭＡ無線ネットワークとの間を前後に遷移できるとしても、アクセス端末のＩＰアドレスは、第１ＩＰアドレス（例えば、ａ、ｂ、ｃ、ｄ）であり得る。この単一のＩＰアドレスは、アクセス端末が複数の無線ネットワーク間を切り替わるときでも継ぎ目の無いＩＰセッションを可能にする。アクセス端末がＨＤＲ無線ネットワークに同調していないのに、メッセージをアクセス端末に送るために、第２ＩＰアドレス（例えば、ｗ、ｘ、ｙ、ｚ）がＨＤＲ無線ネットワークにより使用される。
【００４５】
［１０５１］一実施の形態において、アクセス端末がＨＤＲ無線ネットワークを離れた後で、アクセス端末が同調する他の無線ネットワークについてＨＤＲ無線ネットワークに知らせることができる。この情報を用いて、ＨＤＲ無線ネットワークは、アクセス端末が両方の無線ネットワークに同調している特定の重畳期間に両方の無線ネットワーク上でアクセス端末を呼び出すことができる。
【００４６】
［１０５２］上述した実施の形態において、アクセス端末がネットワークから移動するときはいつも、ＩＰセッションおよびＨＤＲ無線ネットワークへの送信先ＩＰアドレスを維持するための要求を送信する。ＨＤＲ無線ネットワークがアクセス端末のためのパケットを有しているときはいつでも、ＨＤＲ無線ネットワークはなりすましパケットを送信する。この要求と送信先ＩＰアドレスは、アクセス端末がＨＤＲ無線ネットワークを離れるたびに送信することができる。
【００４７】
［１０５３］他の実施の形態において、ＨＤＲ無線ネットワークは以下のことを通知される。（１）特定の期間：その特定期間の後に、アクセス端末は、ＨＤＲトラヒックチャネルを中断した後、ＣＤＭＡ無線ネットワークに移動するであろう。および（２）送信先ＩＰアドレス。この情報は、セッション確立の期間にＨＤＲ無線ネットワークに通信することができ、または、ＩＰセッションを維持するために、（最初の）要求に含めることができる。その後、アクセス端末がＨＤＲトラヒックチャネルを中断するときはいつでも、ＨＤＲ無線ネットワークは、アクセス端末が他の無線ネットワークに移動したことを認識し、自動的にＩＰセッションを維持する。この実施の形態は、ＩＰセッションの維持を要求するために必要であったオーバーヘッドシグナリングの量を低減することができる。アクセス端末に対してＩＰセッションが無限に維持されない（アクセス端末は電源停止したかもしれない）ことを保証するために、「賦活」機構を実施することができる。
【００４８】
［１０５４］一実施の形態において、ＨＤＲ無線ネットワークを介して確立されたＩＰセッションを賦活させるための機構を実施することができる。賦活機構は、ＩＰセッションを維持するために、関心を示したアクセス端末のみがそのような方法でサービスされることを保証する。賦活機構は、オフにされたかもしれないまたはその他の無線ネットワークへ移動したかもしれないアクセス端末によって、ＩＰアドレスと他のネットワークリソースが不必要に関連づけられないことをさらに保証する。賦活機構のいくつかの実施の形態を以下に記載する。
【００４９】
［１０５５］賦活機構の一実施の形態において、アクセス端末は、ＩＰセッションを維持することを継続することを要求するメッセージをＨＤＲ無線ネットワークに周期的に送信する。ＩＰセッションを維持するための新たな要求を、最後の要求が送信された時刻から測定することができる各Ｔ１期間内に送信することができる。Ｔ２期間内で新たな要求を受信しないならば、ＨＤＲ無線ネットワークはＩＰセッションを破壊してもよい。Ｔ１およびＴ２は各々、シグナリング遅延、処理遅延、等のような種々のパラメータに基づいて、選択することができる。特定の例として、Ｔ１はほぼ１０分であるように選択することができ、Ｔ２はほぼＴ１の２倍であるように選択することができる。他の値もＴ１およびＴ２に対して使用することができ、この発明の範囲内である。
【００５０】
［１０５６］賦活機構の他の実施の形態において、アクセス端末との接続が確立されない限り、特定の期間、ＩＰセッションが維持される。この特定の期間は、要求が送信されたとき、またはその他の時刻に、セッション確立期間中にＨＤＲ無線ネットワークに供給することができる。
【００５１】
［１０５７］上述した実施の形態において、ＨＤＲ無線ネットワークによるＩＭＳＩの認証は必要無い。また、メインＰＰＰインスタンスは、ＨＤＲ無線ネットワークを介して維持されるので、アクセス端末が休眠状態になるときはいつでもＨＤＲ無線ネットワークとＣＤＭＡ無線ネットワークとの間で、ＰＤＳＮ  ＰＰＰインスタンスを移動することに関連したオーバーヘッドは無い。（例えば、特定期間休眠状態の後）アクセス端末がＨＤＲ無線ネットワークからＣＤＭＡ無線ネットワークへ遷移するときはいつでも、アクセス端末は、ＨＤＲ無線ネットワークに、ＩＰセッションを維持し、送信先ＩＰアドレスを供給するよう単に要求する。
【００５２】
［１０５８］アクセス端末がＨＤＲ境界から移動するなら、ＨＤＲ無線ネットワークとのセッションを失うだろう。しかしながら、一般的にはアクセス端末が最初のＩＰアドレス（ａ、ｂ、ｃ、ｄ）を維持することが望ましい。これは種々の方法で達成することができる。無線ＩＰ標準により定義された移動ＩＰサービスの場合、移動ノード登録を実行することにより、アクセス端末に最初のＩＰアドレスを再割り当てすることができる。無線ＩＰ標準により定義された簡単なＩＰサービスの場合、アクセス端末は、ＩＰＣＰの期間使用するために最初のＩＰアドレスの割当てを要求することができる。アクセス端末はＣＨＡＰ（チャレンジハンドシェーク認証プロトコル）を用いてそのＮＡＩ（ネットワークアクセス識別子）を認証することができ、また、以前に同じＮＡＩに対して最初のＩＰアドレス（ａ、ｂ、
ｃ、ｄ）が割当てられていたので、ＰＤＳＮは再び最初のＩＰアドレスをアクセス端末に割当てることができる。
【００５３】
［１０５９］アクセス端末には、ＰＤＳＮとの２つのＰＰＰセッションに対して２つのＩＰアドレスを割当てても良い。一般に、サービスプロバイダは、ＮＡＴ（ネットワークアドレス変換）エレメントが動作する背後で、無線ネットワークを動作し、アクセス端末に割当てることができる（任意に）多数のＩＰアドレスを持つ。ＮＡＴエレメントは、任意の局所的なルータブル(routable)なＩＰアドレスを利用可能なグローバル一意ＩＰアドレスにマップするために使用することができる。一般的にアクセス端末の一部のみがいつでもアクティブなので、ＮＡＴエレメントを用いた場合、（相対的に）少数のグローバル一意ＩＰアドレスを用いて（相対的に）多数のアクセス端末をサポートすることができる。
【００５４】
［１０６０］ＩＰアドレスは、ＮＡＴエレメントが採用されるにせよそうでないにせよ、種々のスキームにより保存することができる。１つのスキームにおいて、ＲＡＤＩＵＳサーバーとＰＤＳＮは送信先アドレスとして、局所的にルータブルなＩＰアドレスを割当てるように構成することができる。（例えば、０．０．０．０のＩＰＣＰ  Ｃ−Ｒｅｑを介して）アクセス端末がダイナミックＩＰアドレスを要求すると、ＰＤＳＮは、アクセス端末に関連するＮＡＩに対してＩＰアドレスがすでに割当てられているかどうかを決定することができる。ＩＰアドレスがすでに割当てられているなら、ＰＤＳＮは、アクセス端末が送信先アドレスを要求しているだけであり、局所的にルータブルなＩＰアドレスを割当てることができることを認識することができる。
【００５５】
［１０６１］簡単のために、この発明は特に、アクセス端末がこの無線ネットワークに同調していないのに、ＨＤＲ無線ネットワークを介して確立されたＩＰセッションの保守について記載した。しかしながら、この発明は、上述した無線ネットワークおよび標準を含む何らかの標準に準拠することができる他の無線ネットワークに適用することができる。
【００５６】
［１０６２］図６はアクセス端末１１０およびアクセスポイント１３０の特定の実施の形態の簡単化されたブロック図である。アクセス端末１１０において、ＨＤＲ無線ネットワークを介して確立されたＩＰセッションを維持するための要求はコントローラ６６２に供給されるかまたはコントローラ６６２により発生される。コントローラ６６２はまたプロトコルスタック６７０から送信先ＩＰアドレスを受信する。次に、コントローラ６６２は要求と順方向ＩＰアドレスを含むメッセージを発生する。このメッセージは、１つ以上の符号化スキームでメッセージを符号化するエンコーダ６６４に送られる。符号化スキームは、例えば、巡回冗長検査（ＣＲＣ）符号化、ターボ(Turbo)符号化、畳込み符号化、直列連結符号化、リードソロモンブロック符号化、符号化なし、等を含む。これらは一般にＣＤＭＡベースシステムに対して使用される。
【００５７】
［１０６３］符号化されたデータは、符号化されたデータをさらに処理する変調器６６６に供給される。ＣＤＭＡベースシステムの場合、変調器６６６はウオルシュカバリング、擬似雑音拡散、スクランブリング等を実行することができる。次に、処理されたデータは、１つ以上のアナログ信号に変換される。送信器６６８はアナログ信号を受信し、特定の変調スキーム（例えば、４相位相シフト変調（ＱＰＳＫ）、直交振幅変調（ＱＡＭ）、またはその他のスキーム）で変調し、さらに信号を濾波し、増幅する。変調された信号はデュプレクサ（Ｄ）６５４を介して送られ、アンテナ６５２を介して無線で送信される。
【００５８】
［１０６４］アクセスポイント１３０において、送信された信号は、アンテナ６２４により受信され、デュプレクサ（Ｄ）６２２を介して経路選択され、受信器６２６に供給される。受信器６２６は、受信した信号を条件づけし、（直交）復調し、デジタル化し、サンプルを復調器６２８に供給する。信号の条件づけは、フィルタリング、増幅、周波数変換、等を含むことができ、アクセス端末１１０で実行される（直交）復調と相補的である。
【００５９】
［１０６５］復調器６２８は次に、アクセス端末１１０で実行される方法と相補的な方法でサンプルを処理し（例えば、逆拡散、逆スクランブリング、デカバリング）、記号を供給する。デコーダ６３０は記号を受信し、アクセス端末１１０で使用される符号化スキーム（スキーム群）に相補的な１つ以上の復号スキームを用いて記号を復号する。次に、復号されたデータは、プロセッサ６１４に供給される。
【００６０】
［１０６６］アクセスポイント１３０からアクセス端末１１０へのトラヒックデータとメッセージ（例えばＩＰパケット）の送信は、相補的な信号路を介して生じる。データはエンコーダ６１６により符号化され、変調器６１８により変調され、送信器６２０により条件づけされ、デュプレクサ６２２により経路選択され、アンテナ６２４を介して送信される。アクセス端末１１０において、送信された信号は、アンテナ６５２により受信され、デュプレクサ６５４を介して経路選択され、ＲＦ受信器６５６により条件づけされ、復調器６５８により処理され、デコーダ６６０により復号され、コントローラ６６２に供給される。
【００６１】
［１０６７］ここに使用されるように、順方向送信は、アクセスポイント１３０からアクセス端末１１０への送信に言及し、逆方向送信は、アクセス端末１１０からアクセスポイント１３０への送信に言及する。逆方向経路に関する処理フォーマットおよび復号フォーマットは、順方向経路のそれらとは異ならせることが出来、一般には異なる。
【００６２】
［１０６８］図６に示す実施の形態において、アクセス端末１１０は、確立されたセッション（例えば、アクセス端末により確立された各セッションのプロトコル状態）を示す情報を維持するために使用されるプロトコルスタック６７０を含む。プロトコルスタック６７０は、図４Ａまたは図４Ｂに示されるプロトコル参照モデルのためのスタックを維持するために使用することができ、複数（例えば、ＨＤＲおよびＣＤＭＡ）の無線ネットワークを介して割当てられた２つ（またはそれ以上）のＩＰアドレスをサポートすることができる。コントローラ６６２はプロトコルスタック６７０に記憶された情報の助けを借りて、アクセス端末が現在同調し、適切なプロトコルスタックが適用される特定の無線ネットワークを決定することができる。プロトコルスタック６７０は、コントローラ６６２とは別のメモリユニット（例えば、ＲＡＭ、フラッシュ、またはその他のメモリ装置）または、コントローラ６６２内に位置するメモリユニット（例えば埋め込まれたメモリで）を用いて実施することができる。
【００６３】
［１０６９］図６において、エンコーダ６１６、変調器６１８および送信器６２０はアクセスポイント１３０のための送信器装置を形成し、受信器６２６、復調器６２８およびデコーダ６３０はアクセスポイント１３０のための受信器装置を形成する。同様に、エンコーダ６６４、変調器６６６、および送信器６６８はアクセス端末１１０のための送信器装置を形成し、受信器６５６、復調器６５８、およびデコーダ６６０はアクセス端末１１０の受信器装置を形成する。ＣＤＭＡ  ＢＴＳ１３２は、図６のアクセスポイント１３０と同様に実現することができる。
【００６４】
［１０７０］アクセス端末１１０、アクセスポイント１３０、およびＢＴＳ１３２の要素は、種々の方法で実施することができる。例えば、これらの要素は、１つ以上の特定用途向け集積回路（ＡＳＩＣ）、デジタルシグナルプロセッサ（ＤＳＰｓ）、マイクロコントローラ、マイクロプロセッサ、ここに記載した機能を実行するように設計された他の電子回路、またはそれらの組合せを用いて実施することができる。また、ここに記載された機能のいくつかは、汎用プロセッサ、または、ここに記載した機能を達成する命令コードを実行するように動作する特に設計されたプロセッサを用いて実現することができる。従って、ここに記載した、アクセス端末、アクセスポイント、およびＢＴＳは、ハードウエア、ソフトウエア又はそれらの組合せを用いて実施することができる。
【００６５】
［１０７１］好適実施の形態の上述の記載は当業者がこの発明を製作または使用することを可能にするために提供される。これらの実施の形態に対する種々の変更は当業者には容易に明白であろう、そしてここに定義される包括的原理は発明力の使用なしに他の実施の形態に適用可能である。従って、この発明は、ここに示した実施の形態に限定されることを意図したものではなく、ここに開示した原理と新規な特徴に一致する最も広い範囲が許容されるべきである。
【図面の簡単な説明】
【００６６】
【図１】［１０１２］図１は、ＣＤＭＡ無線ネットワークに関連して配置されたＨＤＲ無線ネットワークを含む通信システムの一実施の形態の図である。
【図２】［１０１３］図２は、多数のサービスネットワークに相互接続される多数の無線ネットワークを含むアクセスネットワークのブロック図である。
【図３】［１０１４］図３は、アクセス端末とＨＤＲとＣＤＭＡ無線ネットワークとの間の通信の図である。
【図４Ａ】［１０１５］図４Ａは、無線ＩＰネットワーク標準に従う、シンプルＩＰのためのプロトコル参照モデルの図である。
【図４Ｂ】［１０１５］図４Ｂは、無線ＩＰネットワーク標準に従う、移動ＩＰのためのプロトコル参照モデルの図である。
【図５】［１０１６］図５は、アクセス端末のためのＩＰ接続性を維持するために、アクセス端末、無線ネットワーク、およびＰＤＳＮ間の通信の図である。
【図６】［１０１７］図６は、アクセス端末およびアクセスポイントの特定の実施の形態の簡単化されたブロック図である。
【図１】
2005509325.tif 000003
【図２】
2005509325.tif 000004
【図３】
2005509325.tif 000005
【図４Ａ】
2005509325.tif 000006
【図４Ｂ】
2005509325.tif 000007
【図５】
2005509325.tif 000008
【図６】
2005509325.tif 000009
【国際調査報告】
2005509325.tif 000010
2005509325.tif 000011